(57)【要約】      （修正有）【課題】複数の信号処理モジュールのセットアップを簡単に変更する。【解決手段】ミキサ１は、複数の入力ｃｈ１００と、入力グループ１１０と、入力グループ１１０のパラメータの値を調整するグループストリップ１２０とを具備する。ミキサ１は、グループモジュールのセットアップに必要なデータをプリセットとして持つ複数のグループプリセットを用意しており、各グループプリセットは、音楽ジャンル、入力ｃｈ数、楽器種類を含む属性情報を持つ。ユーザは、音楽ジャンルを選択することにより、複数の入力グループ１１０に現在適用中のグループプリセットを、ジャンル変更前後で現在使用中の入力ｃｈ数や楽器種類を維持しつつ、別の音楽ジャンルに該当する別のグループプリセットに更新できる。【選択図】図１
2014187637.tif 000002
【特許請求の範囲】
【請求項１】
１つの信号処理モジュールで用いる複数のパラメータの値をプリセットとして持つプリセットデータを複数記憶するプリセット記憶部であって、前記複数のプリセットデータはそれぞれ１種類の音楽ジャンルに対応付けられており、対応付けられた音楽ジャンルにふさわしいパラメータの値をプリセットとして持つものと、
或る音楽ジャンルに対応付けられた前記プリセットデータに基づく複数のパラメータの値が設定された複数の信号処理モジュールと、
ユーザの操作に応じて、前記或る音楽ジャンルとは別の種類の音楽ジャンルに切り替えるジャンル切替部と、
前記ジャンルの切り替えに応じて、前記信号処理モジュールに適用中のプリセットデータを、前記別の種類の音楽ジャンルに対応付けられたプリセットデータに更新し、該更新したプリセットデータが持つ複数のパラメータの値を前記信号処理モジュールのそれぞれに設定する更新部
を具備することを特徴とするデジタルオーディオミキシング装置。
【請求項２】
複数の前記プリセットデータのそれぞれは、更に、１種類の楽器種類に対応付けられており、
前記更新部は、前記信号処理モジュールに適用中のプリセットデータに対応付けられた楽器種類と、前記別の種類の音楽ジャンルに対応付けられたプリセットデータに対応付けられた楽器種類とが一致する場合に、前記ジャンルの切り替えに応じたプリセットデータの更新を行うように構成される
ことを特徴とする請求項１に記載のデジタルオーディオミキシング装置。
【請求項３】
前記信号処理モジュールは、それぞれ
１つのオーディオ信号を処理するチャンネルモジュールと、それぞれが１又は複数の前記チャンネルモジュールをまとめたグループ単位で信号を処理する複数のグループモジュールとからなり、
複数の前記プリセットデータのそれぞれは、更に、前記グループモジュールで用いる複数のグループ用パラメータの値と、該グループモジュールにグループ化される１又は複数の前記チャンネルモジュールそれぞれで用いる複数のチャンネルモジュール用パラメータの値とをプリセットとして持ち、
前記更新部は、前記グループモジュールで用いる複数のパラメータの値と、該グループモジュールにグループ化された１又は複数の前記チャンネルモジュールとで用いる複数のパラメータの値とを、前記別の種類の音楽ジャンルに対応付けられたプリセットデータに含まれるグループ用パラメータの値と各チャンネルモジュール用のパラメータの値で更新するように構成される
ことを特徴とする請求項１又は２に記載のデジタルオーディオミキシング装置。
【請求項４】
コンピュータにデジタルミキシング装置のセットアップする処理を実行させるためのプログラムであって、
前記デジタルミキシング装置は、
１つの信号処理モジュールで用いる複数のパラメータの値をプリセットとして持つプリセットデータを複数記憶するプリセット記憶部であって、前記複数のプリセットデータはそれぞれ１種類の音楽ジャンルに対応付けられており、対応付けられた音楽ジャンルにふさわしいパラメータの値をプリセットとして持つものと、
或る音楽ジャンルに対応付けられた前記プリセットデータに基づく複数のパラメータの値が設定された複数の信号処理モジュールと
を備えており、
ユーザの操作に応じて、前記或る音楽ジャンルとは別の種類の音楽ジャンルに切り替えるステップと、
前記ジャンルの切り替えに応じて、前記信号処理モジュールに適用中のプリセットデータを、前記別の種類の音楽ジャンルに対応付けられたプリセットデータに更新し、該更新したプリセットデータが持つ複数のパラメータの値を前記信号処理モジュールのそれぞれに設定するステップ
を、前記コンピュータに実行させるためのプログラム。
【発明の詳細な説明】
【技術分野】
【０００１】
この発明は、デジタルオーディオミキシング装置及びプログラムに関し、詳しくはオーディオミキシング装置のセットアップ作業を簡易に行うための技術に関する。
【背景技術】
【０００２】
デジタルオーディオミキシング装置（以下単に「ミキサ」とも言う)は、複数のチャンネルストリップ（チャンネル単位の操作部）を具備しており、１つのチャンネルストリップを用いて１チャンネル分の各種パラメータ値を調整するように構成される（例えば非特許文献１を参照）。
【０００３】
例えば音楽演奏会場や会議場など、ミキサを含むＰＡ（Public Address）システムを使用する現場において、システムの構築者は、ミキサのセットアップ（初期設定）を行う。システムの構築者が行う具体的なセットアップ作業は、例えば次の通りである。まず、ミキサのチャンネルストリップ毎にいずれのマイク（入力源）を割り当てるかを決めて、マイク入力端子（入力ポート）と物理的接続を行うとともに、入力ポートに対するチャンネルの割り当て（論理的接続）を行う。そして、チャンネルストリップ毎にパラメータ値の調整を行う。
【０００４】
例えば１組のドラムセットに対して複数本のマイクを設置する場合、システムの構築者は、複数本のマイクに個別にチャンネルを割り当てて、各チャンネルストリップに、例えばバスドラム用の設定、スネアドラム用の設定、シンバル用の設定・・・といった具合に入力源のカテゴリーや目的等に応じたパラメータ値の調整を行う。
【０００５】
従来のミキサでは、例えば１組のドラムセットに関する複数のオーディオ信号のように、何らかの意味のあるまとまりを成す複数のオーディオ信号のそれぞれに、個別にチャンネルストリップを割り当てていたので、１まとまりの複数のオーディオ信号と、それらを制御する複数のチャンネルストリップとの対応関係がわかりにくく、特にミキサの操作に不慣れなユーザにとって不便だった。また、それら１まとまりの複数のオーディオ信号に関するセットアップ作業を行うために複数のチャンネルストリップを個別に操作する必要があったので、セットアップ作業に手間がかかっていた。
【０００６】
上記の問題点に関連する従来の技術として、複数のチャンネルを１つのフェーダグループにまとめて、複数チャンネルの音量を一括して調整するフェーダグループ機能があった（特許文献１、２、非特許文献１を参照）。また、特許文献３は、グループ化を簡単に行う方法として、チャンネル毎にグループを規定するチャンネル定義情報を持つことを開示している。しかし、従来のフェーダグループ機能は、チャンネル毎のパラメータ調整などのセットアップ作業を終えた後に、所望の複数チャンネルをグループ化できるだけであり、セットアップ作業自体はチャンネルストリップ毎に行う必要があり面倒だった。また、従来のグループ機能では、１グループにまとめたい複数の入力源と割り当て先のチャンネルとの対応関係を把握していなければ、適切なグループ化が行えない。加えて、フェーダグループ機能を使いこなすには、ミキサの操作方法や機能の詳細に十分に精通している必要があった。
【０００７】
また、従来、セットアップ作業簡略化に関して、「ライブラリ機能」や「スナップショット機能」があった。「ライブラリ機能」は、例えばイコライザ、コンプレッサ、エフェクタ、或いは１チャンネル分など任意のモジュール単位の複数パラメータの値や、入力ポートと入力ｃｈとの割り当てデータなどを、プリセットデータとして用意しておき、プリセットデータを使ってパラメータ群を一括設定する機能である。「スナップショット機能」は、或るミキサのセッティング（１部又は全てのパラメータの値）をスナップショットデータとして保存しておき、保存したスナップショットデータを呼び出すことによりミキサのセッティンングを一括設定する機能である。このスナップショット機能には、保存したスナップショットデータの一部（例えば一部モジュールのパラメータ）を呼び出さないようにするセレクティブリコール機能や、パラメータの一部を一括設定の対象から除外するリコールセーフ機能などがあった（非特許文献１を参照）。
【０００８】
上記のライブラリ機能やスナップショット機能を使えば、ミキサのセットアップ作業でチャンネルストリップ毎の調整を行わずに済むかもしれない。しかし、スナップショット機能やライブラリ機能を使こなすには、ミキサの操作方法や、スナップショットやライブラリとして保存されたデータの内容に精通している必要があり、これらの機能を使って所望のセットアップを実現することは容易ではない。
【先行技術文献】
【特許文献】
【０００９】
【特許文献１】実開平７−４２２１９号公報
【特許文献２】特開２００４−２５３８７６号公報
【特許文献３】特開２０１１‐２３８３９号公報
【非特許文献】
【００１０】
【非特許文献１】「ＹＡＭＡＨＡ  ＰＭ５Ｄ  ＤＩＧＩＴＡＬ  ＭＩＸＩＮＧ  ＣＯＮＳＯＬＥ  ＤＳＰ５Ｄ  ＤＩＧＩＴＡＬ  ＭＩＸＩＮＧ  ＳＹＳＴＥＭ  ＰＭ５Ｄ／ＰＭ５Ｄ−ＲＨ  Ｖ２  ＤＳＰ５Ｄ  取扱説明書」、[online]、ヤマハ株式会社、２００４年発行、［平成２４年１２月２９日検索］、インターネット〈URL: http://www2.yamaha.co.jp/manual/pdf/pa/japan/mixers/pm5dv2_om_ja_h0.pdf〉
【発明の概要】
【発明が解決しようとする課題】
【００１１】
本発明は上述の点に鑑みてなされたもので、セットアップを簡単に行えるようにしたデジタルオーディオミキシング装置を提供することを目的とする。
【課題を解決するための手段】
【００１２】
この発明は、１つの信号処理モジュールで用いる複数のパラメータの値をプリセットとして持つプリセットデータを複数記憶するプリセット記憶部であって、前記複数のプリセットデータはそれぞれ１種類の音楽ジャンルに対応付けられており、対応付けられた音楽ジャンルにふさわしいパラメータの値をプリセットとして持つものと、或る音楽ジャンルに対応付けられた前記プリセットデータに基づく複数のパラメータの値が設定された複数の信号処理モジュールと、ユーザの操作に応じて、前記或る音楽ジャンルとは別の種類の音楽ジャンルに切り替えるジャンル切替部と、前記ジャンルの切り替えに応じて、前記信号処理モジュールに適用中のプリセットデータを、前記別の種類の音楽ジャンルに対応付けられたプリセットデータに更新し、該更新したプリセットデータが持つ複数のパラメータの値を前記信号処理モジュールのそれぞれに設定する更新部を具備することを特徴とするデジタルオーディオミキシング装置である。
【００１３】
この発明に係るデジタルミキシング装置によれば、プリセットデータがそれぞれ１種類の音楽ジャンルに対応付けられているので、ユーザは音楽ジャンルに切り替える指示を行うだけで、複数の信号処理モジュールに適用中の或る音楽ジャンルに対応付けられたプリセットデータを、別の種類の音楽ジャンルに対応付けられたプリセットデータに一括して更新できる。
【００１４】
また、この発明に係るデジタルミキシング装置において、複数の前記プリセットデータのそれぞれは、更に、１種類の楽器種類に対応付けられており、前記更新部は、前記信号処理モジュールに適用中のプリセットデータに対応付けられた楽器種類と、前記別の種類の音楽ジャンルに対応付けられたプリセットデータに対応付けられた楽器種類とが一致する場合に、前記ジャンルの切り替えに応じたプリセットデータの更新を行うように構成されてもよい。
【００１５】
プリセットデータが楽器種類に対応付けられているので、複数の信号処理モジュールに適用中の或る音楽ジャンルに対応付けられたプリセットデータを、適用中の楽器種類に合わせた別の音楽ジャンルのプリセットデータに一括更新できる。
【００１６】
また、この発明に係るデジタルミキシング装置において、複数の前記プリセットデータのそれぞれは、更に、前記グループモジュールで用いる複数のグループ用パラメータの値と、該グループモジュールにグループ化される１又は複数の前記チャンネルモジュールそれぞれで用いる複数のチャンネルモジュール用パラメータの値とをプリセットとして持ち、前記更新部は、前記グループモジュールで用いる複数のパラメータの値と、該グループモジュールにグループ化された１又は複数の前記チャンネルモジュールとで用いる複数のパラメータの値とを、前記別の種類の音楽ジャンルに対応付けられたプリセットデータに含まれるグループ用パラメータの値と、各チャンネルモジュール用のパラメータの値で更新するように構成されてもよい。
【００１７】
デジタルミキシング装置が、１又は複数のチャンネルモジュールまとめたグループ単位で信号を処理する複数のグループモジュールを具備し、プリセットデータとして、グループ用パラメータの値と、グループ化すべき１又は複数のチャンネルモジュールそれぞれで用いる複数のチャンネルモジュール用パラメータの値とをプリセットを持つように構成されているので、グループモジュールで用いる複数のパラメータの値と、該グループモジュールにグループ化された１又は複数の前記チャンネルモジュールとで用いる複数のパラメータの値とを、別の音楽ジャンルのプリセットデータに一括更新できる。
【発明の効果】
【００１８】
本発明にかかるデジタルオーディオミキシング装置によれば、信号処理モジュールに適用するプリセットをジャンルに応じて切替ることができるので、セットアップ作業を極めて簡単に行うことができるという優れた効果を奏する。
【図面の簡単な説明】
【００１９】
【図１】本発明の一実施形態に従うデジタルオーディオミキシング装置の信号処理モジュールの構成概要を説明するブロック図。
【図２】図１のデジタルオーディオミキシング装置の外観と、入力グループの階層構造を説明する図。
【図３】図１のデジタルオーディオミキシング装置の電気的ハードウェア構成を説明するブロック図。
【図４】図１のデジタルオーディオミキシング装置の機能構成を説明するブロック図。
【図５】図４の入力チャンネルモジュールの詳細な構成例を説明するブロック図。
【図６】図４の入力グループモジュールの詳細な構成例を説明するブロック図。
【図７】図４の出力チャンネルモジュールの詳細な構成例を説明するブロック図。
【図８】（ａ）〜（ｃ）は本発明の一実施形態に従うグループプリセットのデータ構成を説明する図。
【図９】本発明の一実施形態に従うグループプリセットをユーザが選択するための画面の一例を示す図。
【図１０】本発明の一実施形態に従うグループプリセット適用処理を説明するフローチャート。
【図１１】本発明の一実施形態に従うグループプリセット変更（更新）処理を説明するフローチャート。
【図１２】エフェクト情報及びＳｕｂバス使用情報を設定する動作を説明する図。
【図１３】本発明の一実施形態に従うグループプリセットのジャンル変更をユーザが指示するための画面の一例を示す図。
【図１４】本発明の一実施形態に従うグループプリセットのジャンル変更処理を説明するフローチャート。
【発明を実施するための形態】
【００２０】
以下、添付図面を参照して、本発明のデジタルオーディオミキシング装置の一実施形態を説明する。
【００２１】
図１は、本発明の一実施形態に従うデジタルオーディオミキシング装置１（以下「ミキサ」という）の構成概要を説明するブロック図である。また、図２は、ミキサ１の外観と、入力チャンネルと入力グループの階層構造を説明する図である。なお、「チャンネル」を「ｃｈ」と省略表記する。また、本明細書で「モジュール」はミキサ１の構成要素を機能毎にまとめた単位を指す。
【００２２】
図１に示す通り、ミキサ１は、複数（Ｎ個）の入力ｃｈ１００と、グループパッチ１０５と、複数（Ｍ個、なおＭ＜Ｎ）の入力グループ１１０と、複数（Ｍ個）のグループストリップ１２０とを具備する。入力ｃｈ１００は、それぞれ、マイク等の入力源１２５から入力された１系統（１ｃｈ分）のオーディオ信号を処理するモジュールである。各入力ｃｈ１００は、グループパッチ１０５を介して複数（Ｍ個）の入力グループ１１０のいずれか１つに接続（グループ化）される。入力グループ１１０は、それぞれ、グループパッチ１０５を介してグループ化された１又は複数の入力ｃｈ１００の出力信号を処理するモジュールである。
【００２３】
複数のグループストリップ１２０は、図２に示す通り、ミキサ１の操作パネル上に設けられたグループ操作部であり、それぞれ、１つのフェーダ操作子を含む複数の物理的操作子を備える。複数のグループストリップ１２０には、それぞれ、１つの入力グループ１１０が操作対象として割り当てられる。本実施例では、複数Ｍ個のグループストリップ１２０と複数Ｍ個の入力グループ１１０とが、1対１で固定的に対応付けられるものとする（図１参照）。また、各入力グループ１１０及び各グループストリップ１２０は、ユニークなグループ番号により管理される。
【００２４】
図２において、各入力グループ１１０は、1モジュール分の操作部（グループストリップ）の絵柄により表されており、入力グループ１１０に備わる複数のパラメータが、操作子や表示物の絵柄により表されている。ユーザは、グループストリップ１２０内の操作子を用いて、それぞれ対応する入力グループ１１０のパラメータの値を調整できる。
【００２５】
１つの入力グループ１１０に含まれる1又は複数の入力ｃｈ１００も、それぞれ各種パラメータを具備する。図２において、１ｃｈ分の操作部（ｃｈストリップ）の絵柄により１つの入力ｃｈ１００が表されており、操作部中の操作子や表示物の絵柄により１入力ｃｈ１００の各種パラメータが表されている。これら入力ｃｈ１００の各種パラメータは、基本的には、グループストリップ１２０の操作対象としない。
【００２６】
すなわち、ミキサ１は、１又は複数の入力ｃｈをまとめた入力グループ１００を管理単位として具備しており、グループストリップ１２０を用いて入力グループ１００毎に音量調整やイコライジング等を調整できる。各入力ｃｈ１００においてもｃｈ毎に音量調整やイコライジング等の処理をしているが、ミキサ１の操作者（ユーザ）は、基本的には、ｃｈ単位での処理に用いるパラメータを手動調整する必要はない。
【００２７】
図２に示す例では、「Ｃｈ１」、「Ｃｈ２」及び「Ｃｈ３」の各入力ｃｈ１００がグループ番号「１」の入力グループ１１０にグループ化され、このグループ番号「１」の入力グループ１１０をグループ番号「１」に対応付けられたグループストリップ１２０にて制御し、また、「Ｃｈ４」、「Ｃｈ５」及び「Ｃｈ６」の各入力ｃｈ１００がグループ番号「２」の入力グループ１１０にグループ化され、このグループ番号「２」の入力グループ１１０をグループ番号「２」に対応付けられたグループストリップ１２０にて制御し、また、「Ｃｈ７」、「Ｃｈ８」の２本の入力ｃｈ１００がグループ番号「３」の入力グループ１１０にグループ化され、このグループ番号「３」の入力グループ１１０を、グループ番号「３」に対応付けられたグループストリップ１２０にて制御する。
【００２８】
１つの入力グループ１１０にグループ化される１又は複数の入力ｃｈ１００は、例えば、１組のドラムセットに対して設置された複数のマイクに対応付けられた複数の入力ｃｈなど、何らかの意味のあるまとまり（例えば楽器種類単位、演奏者単位など）を成すｃｈ群である。このため、ミキサ１の使い方として、１番のグループストリップ１２０にはドラムセット（ドラム奏者）の入力グループを操作対象に割り当てし、２番のグループストリップ１２０にはギター（ギター奏者））の入力グループを操作対象に割り当て・・・という具合に、グループストリップ１２０毎に楽器種類乃至演奏者単位での制御を行うことができる。
【００２９】
図３は、ミキサ１のハードウェア構成を示すブロック図である。ミキサ１は、中央処理装置（ＣＰＵ）１０、リードオンリーメモリ（ＲＯＭ）１１、ランダムアクセスメモリ（ＲＡＭ）１２、表示インターフェース１３（表示Ｉ／Ｆ）、操作検出インターフェース１４（検出Ｉ／Ｆ）、通信インターフェース１５（通信Ｉ／Ｆ）、信号処理部１６（ＤＳＰ部）、効果処理部１７（ＥＦＸ）、アナログデジタル変換部（ＡＤ）１８、デジタルアナログ変換部（ＤＡ）１９、デジタル・デジタル変換部（ＤＤ）２０を備える。
【００３０】
ＣＰＵ１０、ＲＯＭ１１、ＲＡＭ１２、表示Ｉ／Ｆ１３、検出Ｉ／Ｆ１４、通信Ｉ／Ｆ１５、ＤＳＰ部１６及びＥＦＸ１７は、通信バス２１を介して接続され、ＣＰＵ１０と各部１１〜１７との間で各種制御信号を通信できる。また、ＤＳＰ部１６、ＥＦＸ１７、ＡＤ変換部１８、ＤＡ変換部１９及びＤＤ変換部２０は音声バス２２を介して互いに接続さ、各部１６〜２０の間でデジタルオーディオ信号を通信できる。
【００３１】
ＣＰＵ１０は、ＲＯＭ１１又はＲＡＭ１２に記憶された各種のプログラムを実行して、ミキサ１の全体動作を制御する。ＲＯＭ１１は、ＣＰＵ１０が実行する各種のプログラムや各種のデータなどを格納した不揮発性メモリである。ＲＡＭ１２は、ＣＰＵ１０が実行するプログラムのロード領域やワーク領域に使用されるとともに、ミキサ１の処理に関する全てのパラメータの現在値を記憶するカレントメモリを含む。
【００３２】
表示Ｉ／Ｆ１３には表示部２が接続される。表示部２は、ＣＰＵ１０から与えられた表示制御信号に基づく各種情報を、各種画像や文字列等により表示する。検出Ｉ／Ｆ１４には操作部３が接続される。操作部3は、グループストリップ１２０を含む操作パネル上に配置された操作子群である。ＣＰＵ１０は、ユーザによる操作部３の操作イベントに応じた検出信号を取得して、カレントメモリに記憶された各種パラメータの値を更新し、その更新結果をＤＳＰ部１６、ＥＦＸ１７の信号処理動作、或いは、表示部２の表示に反映する。
【００３３】
また、通信Ｉ／Ｆ１５には通信入出力部（通信Ｉ／Ｏ）４が接続されている。通信Ｉ／Ｏ４は、例えばＵＳＢ（Universal Serial Bus）端子など、他の周辺機器と接続するための汎用インターフェースであり、周辺機器（例えば、ミキサ１をリモート制御するコンピュータ等）を接続する。
【００３４】
ＡＤ変換部１８は複数の入力ポートを含み、入力ポートから入力したアナログオーディオ信号をデジタルオーディオ信号に変換して音声バス２２に供給する。ＤＡ変換部１９は、複数の出力ポートを含み、音声バス２２から供給されたデジタルオーディオ信号をアナログオーディオ信号に変換して出力ポートへ供給する。ＤＤ変換部２０は、複数のデジタル入出力ポートと、デジタル変換（フォーマット変換）部を含み、外部機器とミキサ１の間で１又は複数のデジタルーディオ信号を入出力する。
【００３５】
ＤＳＰ部１６及びＥＦＸ１７は、それぞれ１つのＤＳＰ（Digital Signal Processor）で構成してもよいし、バスで相互接続された複数のＤＳＰで構成し、複数のＤＳＰで信号処理を分散処理するようにしてもよい。ＤＳＰ部１６は、ＣＰＵ１０の指示に基づいてマイクロプログラムを実行することにより、音声バス２２から供給された１又は複数のオーディオ信号をデジタル信号処理して、音声バス２２へ出力する。ＤＳＰ部１６が実行するデジタル信号処理は、オーディオ信号のルーティングや、音特性（音量レベルや音質）の調整や、複数のオーディオ信号を混合するミキシング処理等である。また、ＥＦＸ１７は、オーディオ信号に対するエフェクト処理（効果付与）用のＤＳＰであり、ＣＰＵ１０の指示に基づいて、音声バス２２から供給されたオーディオ信号を効果付与処理して、音声バス２２へ出力する。
【００３６】
図４は、ミキサ１の機能構成を示すブロック図である。図４の各モジュールの動作は、専らＤＳＰ部１６及びＥＦＸ１７によるデジタル信号処理により実現される。入力ポート２３（（「Ｉｎ．１」〜「Ｉｎ．Ｎ」）はＡＤ変換部１８に含まれる入力端子であり、それぞれ１系統のオーディオ信号源（１つのマイクなど）からオーディオ信号を入力する。複数Ｎ個の入力ｃｈ１００は、それぞれ、１つの入力ポート２３に対応付けられている。
【００３７】
入力ｃｈ１００は、それぞれ対応する１つの入力ポート２３が入力したオーディオ信号を、当該入力ｃｈ用の各種パラメータの値に応じて処理する。入力ｃｈ１００の出力信号は、グループパッチ（図１の符号１０５）を介して、Ｍ個のグループバス２４のうち１つに供給される。
【００３８】
Ｍ個のグループバス２４は、それぞれ、後段のＭ個のグループ１１０と１対１で対応付けられている。グループバス２４は、グループパッチ（図１の符号１０５）を介して接続された１又は複数の入力ｃｈ１００の出力信号を混合して、対応する１つの入力グループ１１０に供給する。すなわち、１つのグループバス２４に１又は複数の入力ｃｈ１００を接続することにより、そのグループバス２４に対応する入力グループ１１０に対する、１又は複数の入力ｃｈ１００の割り当て（グループ化）が実現される。
【００３９】
入力グループ１１０は、対応するグループバス２４から供給されたオーディオ信号を、当該入力グループ用の各種パラメータの値に応じて処理する。入力グループ１１０の出力信号は、ステレオ出力バス（ＳＴ）２５を介して出力ｃｈモジュール１３０に供給され、この出力ｃｈモジュール１３０にて処理され、ステレオ出力ポート２７から出力される。
【００４０】
更に、ミキサ１は、出力バスの１つとしてサブバス２６を備えており、入力ｃｈ１００の出力信号をサブバス（Ｓｕｂ）２６に供給できる。サブバス２６のオーディオ信号は、出力ｃｈ１３０にて処理され、サブバス出力ポート２７から出力される。
【００４１】
図５〜図７は、入力ｃｈ１００、入力グループ１１０、出力ｃｈ１３０の詳細構成例を示す。図５〜図７に示す通り、入力ｃｈ１００、入力グループ１１０、出力ｃｈ１３０は、それぞれ、複数の制御モジュールを備えている。制御モジュールは、それぞれ、音特性（例えば音量や音質など）の調整に関する機能単位のモジュールである。
【００４２】
図５において、入力ｃｈ１００は、例えばヘッドアンプ（Ｈ／Ａ）３０、ＡＤ変換部（ＡＤ）３１、ハイパスフィルタ（ＨＰＦ）３２、アッテネータ（ＡＴＴ）３３、パラメトリックイコライザ（ＰＥＱ）３４、ゲート（Ｇａｔｅ）３５、パン（Ｐａｎ）３６及びグループパッチ（Ｐａｔｃｈ）３７を備える。グループパッチ３７は、図１のグループパッチ１０５に対応しており、後述する「アサイン情報」に基づいて、当該入力ｃｈ１００の出力を、Ｍ個のグループバス２４のいずれか１つに接続する。その他のパラメータモジュール３０〜３６は、それぞれの機能に該当する処理を行う。なお、Ｈ／Ａ３０とＡＤ変換部３１の動作は、図２のＡＤ変換部１８により行われる。入力ｃｈ１００に含まれる各モジュール３０〜３７を制御する各種パラメータの値は、基本的には、操作パネル上のグループストリップ１２０に呼び出されず、ユーザによる手動調整を受けない。
【００４３】
また、入力ｃｈ１００は、挿入エフェクタ（Ｉｎｓｅｒｔ）６０と、挿入エフェクタ６０のオンオフを切り替えるスイッチ６１を備え、スイッチ６１がオンのとき、入力ｃｈ１００のオーディオ信号に挿入エフェクタ６０による効果を付与するように構成される。また、入力ｃｈ１００は、サブバス２６への出力レベルを調整するサブレベル（Ｓｕｂ  Ｌｅｖｅｌ）６２と、サブバス２６への出力オンオフを切り替えるスイッチ６３を具備する。
【００４４】
図６において、入力グループ１１０は、例えばアッテネータ４０、パラメトリックイコライザ４１、コンプレッサ（Ｃｏｍｐ．）４２、ハウリング抑制機能（ＦＢＳ、フィードバックサプレッション）４３、レベル制御（Ｌｅｖｅｌ）４４、バランス制御（ＢＡＬ）４５、エフェクタ（Ｅｆｆｅｃｔ）４６を備える。ユーザは、入力グループ１１０に含まれる各モジュール４０〜４６を制御する各種パラメータの値を、操作パネル上のグループストリップ１２０を用いて調整できる。
【００４５】
また、図７において、出力ｃｈモジュール１３０は、例えば、アッテネータ５０、パラメトリックイコライザ５１、グラフィカルイコライザ（ＧＥＱ）５２、コンプレッサ５３、レベル制御５４、バランス制御５５、ＤＤ変換部５６を備える。出力ｃｈモジュール１３０の各モジュール５０〜５６の各種パラメータの値は、操作パネル上の出力ｃｈ用のｃｈストリップを用いて調整できてよい。
【００４６】
次に、「グループプリセット」について説明する。グループプリセットは、１つの入力グループ１１０に関するセットアップに必要な全てのパラメータの値を、プリセットとして保存したデータである。ミキサ１のメモリ（ＲＯＭ１１又はＲＡＭ１２）には、複数のグループプリセットが記憶される。
【００４７】
図８（ａ）〜（ｂ）は、グループプリセットのデータ構成例を説明する図である。（ａ）に示す通り、１つのグループプリセット７０は、１又は複数の入力ｃｈ用パラメータセット７１、入力グループ用パラメータセット７２、アサイン情報７３、エフェクト情報７４及びグループ属性情報７５を含む。各グループプリセット７０はそれぞれ１グループ分のプリセットに対応している。
【００４８】
１つのグループプリセット７０に含まれる入力ｃｈ用パラメータセット７１の数は、そのグループに含まれる（グループ化すべき）入力ｃｈ数に対応する。前述の通り、１グループに含まれる１又は複数の入力ｃｈとは、例えば楽器種類乃至演奏者単位など、何らかの意味のある１まとまりを成す複数個の入力ｃｈでさえあればよい。したがって、複数のグループプリセット７０それぞれに含まれる入力ｃｈ用パラメータセット７１の数は不定である。
【００４９】
１つのグループプリセット７０中の各入力ｃｈ用パラメータセット７１には、当該グループ中での相対的なｃｈ番号が設定されてよい。図の例では、３つの入力ｃｈ用パラメータ７１に対して、ｃｈ番号「ｃｈ．ｋ」、「ｃｈ．ｋ＋１」、「ｃｈ．ｋ＋２」が付与されており、当該グループ内での入力ｃｈ用パラメータ７１の順番を識別できる。
【００５０】
１つの入力ｃｈ用パラメータセット７１は、図８（ｂ）に示す通り、「Ｄｙｎａｍｉｃｓ」、「ＥＱ」、「ＡＵＸ」、「ＰＡＮ」、「Ｌｅｖｅｌ」など、１つの入力ｃｈ１００で用いる全てのパラメータの値を含む入力ｃｈ用パラメータ値７１０と、Ｓｕｂバス使用情報７１１と、マイク情報７１２を含む。また、各入力ｃｈ用パラメータセット７１には、その入力ｃｈの名前等を示す属性情報も含まれてよい。
【００５１】
各入力ｃｈ用パラメータの値７１０に含まれる各種パラメータの値は、その入力ｃｈに予定されている用途、役割などにふさわしい値をプリセットとして持つ。例えば、ドラムス（ドラム奏者）用の３本の入力ｃｈ（バスドラム用ｃｈ、スネアドラム用ｃｈ、シンバル類用ｃｈ）を含むグループプリセット７０があるとすると、そのグループプリセット７０に含まれる３つの入力ｃｈ用パラメータセット７１は、それぞれ、入力ｃｈ用パラメータの値７１０として、バスドラムにふさわしい各種パラメータの値、スネアドラムにふさわしい各種パラメータの値、及び、シンバル類にふさわしい各種パラメータの値を、プリセットとして持つ。
【００５２】
Ｓｕｂバス使用情報７１１は、入力ｃｈのサブバスレベル６２の値と、サブバスへの出力オンオフ（スイッチ６３）の設定とを含む。マイク情報７１２は、入力ｃｈに使用するマイクを指定する情報であり、例えば、マイクの製造元及び機種名を特定する情報である。マイクは、製造元や機種に応じて特性が異なるので、各入力ｃｈ用パラメータ７１の入力ｃｈ用パラメータの値７１０として、使用するマイクの特性を考慮したプリセットを用意しておくことが考えられる。その場合、当該入力ｃｈ用パラメータ７１の入力ｃｈ用パラメータの値７１０（或るマイクの特性を考慮した設定）にふさわしいマイクの製造元や種類等を、マイク情報７１２により指示できる。
【００５３】
入力グループ用パラメータセット７２は、図８（ｃ）に示す通り、「Ｄｙｎａｍｉｃｓ」、「ＥＱ」、「ＡＵＸ」、「ＰＡＮ」、「Ｌｅｖｅｌ」など、１つの入力グループ１１０で用いる全てのパラメータ値（図６参照）を含む入力グループ用パラメータ値７２０を持つ。入力グループ用パラメータの値７２０には、当該入力グループのカテゴリー、目的、用途などにふさわしい値がプリセットとして保存される。
【００５４】
アサイン情報７３は、グループ化すべき１又は複数の入力ｃｈ１００を１つの入力グループ１１０にグループ化する（割り当てる）ためのグループ化情報である。具体的には、グループプリセット７０の適用先となる入力グループ１１０に対応する１本のグループバス２４に入力ｃｈ１００の出力を接続するように、入力ｃｈ１００のグループパッチ３７を制御する情報である。アサイン情報７３に基づく１ｃｈ分のグループパッチ３７の動作は、例えば、Ｍ個のグループバス２４のうち、適用先に対応するグループバス２４への出力のみオンにして、その他のグループバス２４への出力をオフにする、というものである。
【００５５】
エフェクト情報７４は、１グループに含まれる各入力ｃｈ１００及び／又は入力グループ１１０におけるエフェクタの使用に関する情報である。例えば、エフェクト情報７４として、１グループに含まれる全ての入力ｃｈ１００に対するエフェクト挿入（スイッチ６１）のオンオフの一括設定や、挿入エフェクタ６０の種類やそのパラメータ値の一括設定や、或いは、入力グループ１１０で使用するエフェクタの種類やパラメータ値の設定などの情報を持つことが考えられる。
【００５６】
属性情報７５は、例えば名前、カテゴリー、入力ｃｈ数、ジャンル、評価、使用回数などを含む。名前は、当該グループプリセットの名前である。複数のグループプリセット７０のそれぞれはユニークな名前を持つ。カテゴリーは、例えばドラムス、ギター、ベース、ボーカル、ＭＣ（司会進行）など、楽器の種類や用途などを表す分類である。入力ｃｈ数は、当該グループプリセットに含まれる入力ｃｈの個数を示す。ジャンルは、例えばロック、ジャズ、ポップス、会議・・・など、当該グループプリセットに適した音楽ジャンルや使用場面を表す分類である。評価は、当該グループプリセットに対してユーザが与えた評価を表す。使用回数は、当該グループプリセットを使用した回数である。属性情報７５を持つことで、複数のグループプリセット７０を属性情報７５（例えばカテゴリー、入力ｃｈ数、ジャンルなど）によりグループ分けできる。
【００５７】
ミキサ１は、グループプリセット７０として、例えば、ドラムス用の３本の入力ｃｈを含むグループプリセット、ギター用の２本の入力ｃｈを含むグループプリセット、或いは、会議用の８本の入力ｃｈを含むグループプリセットなどといった具合に、楽器種類、用途、入力ｃｈ数、音楽ジャンルなどに応じた複数のグループプリセット７０を用意しておく。ユーザは、複数のグループプリセット７０の中から、楽器種類、用途、音楽ジャンル、入力ｃｈ数などの条件に応じた所望のグループプリセットを選択して、入力グループ１１０に適用するだけで、その条件にふさわしい入力グループ１１０に関するセットアップを行うことができる。
【００５８】
図９は、入力グループ１１０にグループプリセット７０を適用する（割り当てる）ためのユーザインターフェースの一例として、グループプリセット適用画面８０を示す。ＣＰＵ１０は、例えばユーザ操作に応じて表示部２にグループプリセット適用画面８０を表示する。グループプリセット適用画面８０は、図９に示す通り、グループプリセット選択部８１と、グループ表示部８２とを備える。
【００５９】
グループプリセット選択部８１は、メモリ（ＲＯＭ１１又はＲＡＭ１２）に記憶された複数のグループプリセット７０（図８参照）を表示するリストであり、各行に１つずつグループプリセット７０の属性情報を表示する。各行に表示する属性情報は、例えば、名前８１０、カテゴリー８１１、ｃｈ数８１２、ジャンル８１３、評価（「お気に入り」）８１４、使用回数８１５である。ＣＰＵ１０は、グループ属性情報７５に基づいてグループプリセット７０毎の属性情報を表示できる。各欄８１０〜８１５には、それぞれ該当する属性情報を示す文字列や数字等が表示される。評価８１４に関しては、「星印」の数により評価の高低を表している。
【００６０】
グループプリセット選択部８１にはフィルタ条件指定部８１６が設けられている。フィルタ条件指定部８１６は、グループプリセット７０の属性情報（名前、カテゴリー、ｃｈ数、ジャンル、評価及び使用回数）８１０〜８１５毎に条件を指定できるように構成されており、指定されたフィルタ条件に応じてグループプリセット選択部８１に表示するグループプリセット群をフィルタ（絞込み）できる。例えば、カテゴリーのフィルタ条件として「Ｄｒｕｍｓ」を指定すれば、「Ｄｒｕｍｓ」のカテゴリーに該当するグループプリセット７０のみが、グループプリセット選択部８１に表示される。図８に示す例では、全ての属性情報のフィルタ条件として「Ａｌｌ」が指定されており、この場合、グループプリセット選択部８１は全てのグループプリセット７０を表示する。
【００６１】
グループ表示部８２は、ミキサ１に備わる複数の入力グループ１１０のうち、現在グループプリセットが適用されている入力グループ１１０の情報を表示するリストである。グループ表示部８２の各行は、対応する入力グループ１１０に適用中のグループプリセットの名前８２０と、そのグループプリセットに含まれる入力ｃｈ数８２１とを表示する。グループ表示部８２における入力グループの表示順は、例えばグループ番号順に並べるとよい。
【００６２】
グループプリセット選択部８１において、ユーザは操作子３を用いてカーソル８１７を所望の行に位置させることにより、その行に対応するグループプリセットを選択できる。また、グループ表示部８２において、カーソル８２２を所望の行に位置させることにより、その行に対応する入力グループ１１０を選択できる。これらグループプリセットの選択はＯＫボタン８３を押すことにより確定する。
【００６３】
本実施例では、グループプリセット選択部８１においてグループプリセットの選択のみを行った場合、ミキサ１に備わる複数（Ｍ個）の入力グループ１１０のうち、未だ何れのグループプリセットも適用されていない入力グループ１１０（未アサイングループ）に対して、当該選択されたグループプリセットが適用される。
【００６４】
図１０は、未アサイングループにグループプリセットを適用する処理のフローチャートである。ＣＰＵ１０は、グループプリセット適用画面８０にてグループプリセットの選択のみ行われた場合に、図１０の処理を起動する。ステップＳ１において、ＣＰＵ１０は、グループプリセット選択部８１においてユーザにより選択された１つのグループプリセットを特定し、グループプリセット群を記憶したメモリ（ＲＯＭ３又はＲＡＭ２）から、特定した１つのグループプリセット７０を読み出す。
【００６５】
ＣＰＵ１は、ステップＳ２において、選択されたグループプリセット７０に含まれる入力ｃｈ数と、ミキサ１に備わる全入力ｃｈ１００のうち、未だ何れの入力グループ１１０にもグループ化されていない入力ｃｈ１００（未アサインｃｈ）の個数とを比較する。である。未アサインｃｈの数が、選択されたグループプリセット７０に含まれるｃｈ数よりも多い場合（ステップＳ２のＹＥＳ）、ＣＰＵ１０は、ステップＳ３において、未アサインｃｈ群のうちから必要な数の入力ｃｈ１００を確保して、該確保した１又は複数の入力ｃｈ１００に対して、選択されたグループプリセット７０を適用する。なお、適用先の入力グループ１１０の決定は、例えばグループ番号の若い順など、所定のルールに従って自動的に決定できる。また、未アサインｃｈの確保は、例えば、ｃｈ番号の若い順など所定のルールに従って行う。
【００６６】
前記ステップＳ３により、選択されたグループプリセット７０に基づいて、１つの入力グループ１１０に関する全てのセットアップ（初期設定）を行うことができる。セットアップの詳細内容は、例えば次の通りである。（１）確保した１又は複数の入力ｃｈ１００それぞれの全パラメータのカレントデータとして、グループプリセット７０に含まれる１又は複数の入力ｃｈ用パラメータセット７１を設定する。（２）グループプリセット７０に含まれるアサイン情報７３に基づいて、確保した１又は複数の入力ｃｈ１００それぞれの出力を、グループプリセット７０の適用先となる１つの入力グループ１１０に接続する。（３）適用先となる１つの入力グループ１１０の全パラメータのカレントデータとして、グループプリセット７０に含まれる入力グループ用パラメータセット７２を設定する。（４）適用先の入力グループ１００に、属性情報７５に含まれるグループの名前を設定する。（５）エフェクト情報７４に基づいて、グループ化された１又は複数の入力ｃｈ１００におけるエフェクト使用に関する設定を行う。（６）グループ化された個々の入力ｃｈ１００に、マイク情報７１２や、Ｓｕｂバス使用情報７１１を設定される。（７）更に、各入力ｃｈ用パラメータセット７１に、その入力ｃｈの名前等を示す属性情報が含まれている場合には、グループ化された個々の入力ｃｈ１００にｃｈ名を設定する。
【００６７】
一方、未アサインｃｈの数が選択したグループプリセットに含まれるｃｈ数よりも少ない場合（ステップＳ２のＹＥＳ）、ＣＰＵ１０は、グループプリセットの適用を行わずに処理を終了する。
【００６８】
前記図１０の処理により、新たな入力グループ１１０にグループプリセットが適用されたとき、ＣＰＵ１０は、その入力グループ１１０の情報を、グループ表示部８２に追加する。
【００６９】
ユーザは、グループプリセット選択部８１において１つのグループプリセットを選択し、且つ、グループ表示部８２において１つの入力グループ１１０を選択することにより、グループ表示部８２にて選択した入力グループ１１０に適用中のグループプリセットを、グループプリセット選択部８１にて新たに選択したグループプリセットに変更できる。
【００７０】
図１１は、入力グループ１１０に適用中のグループプリセットを変更（更新）する処理のフローチャートである。ステップＳ４において、ＣＰＵ１０は、グループプリセット選択部８１において選択されたグループプリセット（変更先のグループプリセット）を特定する。
【００７１】
このとき、ＣＰＵ１は、グループ表示部８２において、特定した変更先のグループプリセット７０を適用可能な入力グループ１１０のみを通常の表示状態で表示して、その他の入力グループ１１０をグレーアウト表示する。「適用可能な入力グループ」とは、現在適用中のグループプリセット７０（変更元のグループプリセット）が変更先のグループプリセット７０と共通する属性を持ち、例えばｃｈ数やカテゴリー等の属性を変更することなくそのまま、変更先のグループプリセット７０を適用（上書き）できる入力グループである。図８の例では、グループプリセット選択部８１においてｃｈ数が「３」のグループプリセット「Ｐｏｐ＿Ｇｔ」が選択されているので、グループ表示部８２では、ｃｈ数が「３」の入力グループ（一番上の「Ｄｒｕｍｓ」と、一番下の「Ｖｏｃａｌ」）のみが通常表示され、ｃｈ数の異なる入力グループ（上から２番目の「Ｂａｓｓ」と、３番目の「Ｇｔ」）はグレーアウト表示される。
【００７２】
ユーザは、グループ表示部８２から１つの入力グループ１１０を適用先として選択して、ＯＫボタン８３を押して選択を確定する。ＣＰＵ１０は、ステップＳ５において、グループ表示部８２にて選択された入力グループ１１０を特定するとともに、該特定した入力グループ１１０に適用中のグループプリセット７０（変更元のグループプリセット）を特定する。
【００７３】
ステップＳ６において、ＣＰＵ１０は、前記ステップＳ４で特定した変更先のグループプリセットと、前記ステップＳ５で特定した変更元グループプリセットとのそれぞれの属性情報７５に含まれるカテゴリーを比較する。また、ステップＳ７において、ＣＰＵ１０は、前記ステップＳ４で特定した変更先のグループプリセットと、前記ステップＳ５で特定した変更元グループプリセットとのそれぞれの属性情報７５に含まれるｃｈ数を比較する。なお、ステップＳ６、Ｓ７の順番は、図示の例に限らず、ｃｈ数を先に比較し、それからカテゴリーを比較するようにしてもよい。
【００７４】
変更先のグループプリセットと変更元のグループプリセットとで、カテゴリー及びｃｈ数が一致する場合（ステップＳ６、Ｓ７のＹＥＳ）、ＣＰＵ１０は、ステップＳ８において、変更元のグループプリセットを変更先のグループプリセットに更新する。すなわち、グループ表示部８２にて選択された入力グループ１１０に、グループプリセット選択部８１にて選択されたグループプリセットを適用する。これにより、選択されたグループプリセット７０に基づいて、選択された入力グループ１１０に関する全てのセットアップ（入力ｃｈ１００毎のパラメータの値、入力グループ１１０のパラメータの値、入力ｃｈ１００のエフェクト使用に関する設定を含む）が一括して更新される。なお、この場合、入力ｃｈ数に変更がないので、各入力ｃｈ１００のグループパッチ３７の設定は変更しなくてよい。
【００７５】
一方、変更先のグループプリセットと変更元のグループプリセットとで、カテゴリー及び／又はｃｈ数が一致しない場合（ステップＳ６及び／又はＳ７のＮＯ）、ＣＰＵ１０は、例えば表示部２に「確認ダイアログ」ウィンドウを表示することにより、属性が変更される旨をユーザに確認する（ステップＳ９及び／又はＳ１０）。ユーザは、表示された確認ダイアログに対して変更を認める（ＯＫボタン８３を押す）か、又は、変更を認めない（キャンセルボタン８４を押す）か、いずれかの応答をする。ユーザが属性の変更を認めない場合（ステップＳ９及び／又はＳ１０のＮＯ）、ＣＰＵ１０は、グループプリセットの更新を行わずに、処理を終了する。
【００７６】
ユーザが変更を認めた場合には（ステップＳ９及び／又はＳ１０のＹＥＳ）、ＣＰＵ１０は、ステップＳ８において、変更元のグループプリセットを変更先のグループプリセットに更新する。なお、ｃｈ数が変更される場合には、当該ステップＳ８において、変更先のグループプリセットに基づいて、各入力ｃｈ１００のグループパッチ３７の設定（入力ｃｈのグループ化設定）を変更する。ｃｈ数が増える場合には、前述した未アサイン入力ｃｈ確保処理を行い、新たに入力ｃｈを確保する。未アサイン入力ｃｈ確保できない場合は、グループプリセットの更新を行わない。
【００７７】
前記ステップＳ８により、ユーザは、所望のグループプリセット７０と、入力グループ１１０とを選択するだけで簡単に、１つの入力グループ１１０に関する全てのセットアップを一括して変更できる。
【００７８】
すなわち、前記ステップＳ３又は前記ステップＳ８が適用部の動作に相当しており、これにより、ユーザは、所望のグループプリセット７０を選択するだけで簡単に、１つの入力グループ１１０に必要な全てのセットアップを行うことができる。例えば、ユーザが、入力ｃｈ数が「３」のドラムス用グループプリセットを選択すると、確保された３本の入力ｃｈ１００には、それぞれのｃｈにふさわしい入力ｃｈ用パラメータの値（例えば、バスドラムにふさわしい各種パラメータの値、スネアドラムにふさわしい各種パラメータの値、及び、シンバル類にふさわしい各種パラメータの値）が設定され、適用先の入力グループ１００にはドラムスにふさわしいグループ用パラメータの値が設定され、更に、３本の入力ｃｈを適用先の入力グループ１００に接続（グループ化）する設定までもが完了する。
【００７９】
楽器種類や用途などに応じて１又は複数の入力ｃｈ１００をまとめたグループプリセット７０を用意しているので、ミキサの操作に不慣れなユーザにとっても、適用先の入力グループ１１０（グループストリップ１２０）と、制御対象となる楽器種類（演奏者）や用途などとの対応関係わかりやすい。例えば、１番のグループストリップには、３ｃｈ分の「ドラム」を操作対象に割り当て、２番のグループストリップ１２０には、３ｃｈ分の「ベース」を操作対象に割り当て、３番のグループストリップには、２ｃｈ分のボーカルを操作対象に割り当て・・・という具合に、楽器種類（演奏者）や用途単位で複数の入力ｃｈをグループ化するセットアップを、直感的にわかりやすく簡単な操作で行うことができる。
【００８０】
前述のステップＳ３又はＳ８により、入力グループ１１０に対してグループプリセット７０を適用する際、エフェクト情報７４にエフェクト使用に関する情報が設定されている場合には、１グループ内の各入力ｃｈ１００及び／又は入力グループ１１０におけるエフェクタの使用に関する情報が、グループ単位で一括設定される。エフェクト情報７４に基づく挿入エフェクト６０の使用に関する情報の設定の動作について、図１２を参照して、説明する。
【００８１】
図１２は、図４に示す入力ｃｈ１００、グループバス２４、入力グループ１１０、ステレオ出力バス２５、Ｓｕｂバス２６を抽出して示すブロック図である。図１２において、「ｃｈ１」の入力ｃｈ１００ａと「ｃｈ２」の入力ｃｈ１００ｂとは、１番のグループバス２４に接続され、グループ番号「１」の入力グループ１１０ａにグループ化されている。「ｃｈ２」の入力ｃｈ１００ｃは、２番のグループバス２４に接続され、グループ番号「２」の入力グループ１１０ｂにグループ化される。
【００８２】
例えば、或るグループプリセット７０のエフェクト情報７４として挿入エフェクト６０のオンオフを切り替える情報が入っており、そのグループプリセット７０をグループ番号「１」に適用した場合には、そのグループに含まれる入力ｃｈ１００ａの挿入エフェクタスイッチ６１ａと入力ｃｈ１００ｂの挿入エフェクタスイッチ６１ａを一括して切り替えることができる。１つのグループプリセット７０に１つのエフェクト情報７４を持つので、エフェクト情報７４に基づいて、１グループに含まれる複数の入力ｃｈでのエフェクト６０の使用に関する情報を一括設定できる。
【００８３】
これに対して、１つのグループプリセット７０に含まれるＳｕｂバス使用情報７１１は、そのグループに含まれる複数の入力ｃｈ用パラメータセット７１毎に用意されているので、１グループに含まれる各入力ｃｈ１００でのサブバス２６に関する設定は、グループ単位ではなく、入力ｃｈ１００毎に行われる。例えば、グループ番号「１」の入力グループ１１０ａに含まれる入力ｃｈ１００ａのサブバススイッチ６１ａと入力ｃｈ１００ｂのサブバススイッチ６１ｂとは、それぞれ別のＳｕｂバス使用情報７１１に基づいて、サブバスレベル６２の値とスイッチ６３のオンオフ設定とが設定される。
【００８４】
次に、グループプリセット変更方法の１実施形態として、ジャンルの選択に応じて複数の入力グループ１１０に適用するグループプリセットを一括して切り替える方法について説明する。図１３は、ジャンルを選択するためのユーザインターフェース（ジャンル変更画面８５）の一例を示す。ＣＰＵ１０は、ユーザの操作に応じて、表示部２にジャンル変更画面８５を表示する。ジャンル選択部８６には、例えば「ロック」、「ジャズ」・・・など選択可能なジャンル名がリスト表示される。「選択可能なジャンル」は、例えばグループプリセット７０のジャンルとして用意された全てのジャンルである。優先順位設定部８７は、評価（「お気に入り」）及び使用回数のいずれかを選択するラジオボタンを表示しており、グループプリセットの属性情報（図の例では評価及び使用回数）に優先順位を設定できるようになっている。
【００８５】
ユーザは、ジャンル選択部８６において、所望の１つのジャンルを選択して、変更ボタン８８を押すことにより、複数の入力グループ１１０に適用中のグループプリセットのそれぞれを、ジャンル選択部８６にて選択したジャンルに属するグループプリセットに一括変更できる。
【００８６】
図１４は、グループプリセットのジャンル変更処理のフローチャートである。ＣＰＵ１０は、ステップＳ１１において、ジャンル選択部８６にて選択された変更先のジャンルを特定し、ステップＳ１２において、現在各入力グループ１１０に適用中のグループプリセット７０の情報を取得する。取得する情報は、例えば現在使用中（グループプリセット適用中）の各入力グループ１１０を特定する情報、各入力グループ１１０に適用中のグループプリセットのカテゴリーを含む。
【００８７】
ステップＳ１３において、現在使用中の入力グループ１１０の１つを処理対象として、その入力グループ１１０に適用中のグループプリセットのカテゴリーに該当するグループプリセット７０が、前記ステップＳ１１において特定した変更先のジャンルのなかにあるかどうか調べる。
【００８８】
変更先のジャンル中に前記カテゴリーに該当するグループプリセット７０が存在している場合（ステップＳ１３のＮＯ）、ＣＰＵ１０は、ステップＳ１４において、処理対象の入力グループ１１０に適用中のグループプリセットを、変更先のジャンル中に前記カテゴリーに該当するグループプリセット７０に更新する。グループプリセットの更新自体は、前記ステップＳ３，Ｓ８と同様の処理である。ここで、変更先のジャンル中に同じカテゴリーの複数のグループプリセットが存在する場合など、複数グループプリセットから１つを決定するときには、優先順位設定部８７にて優先順位の高い属性情報として選択された属性（評価又は使用回数）に基づいて、１つのグループパラメータを決定する。例えば、優先順位設定欄８７にて評価（「お気に入り」）が選択されているときは、複数のグループプリセットのうちで、もっとも評価の高いグループプリセット７０を変更先として決定する。変更元のグループプリセットと変更先のグループプリセット７０とで入力ｃｈ数が異なる場合は、必要な数の入力ｃｈをグループ化する処理も行う。なお、必要なｃｈ数が確保できない場合、ＣＰＵ１０は、当該処理対象の入力グループ１１０に関するグループプリセットの更新を行わずにステップＳ１５に進む。
【００８９】
そして、ＣＰＵ１０は、現在使用中の入力グループ１１０の全てに対して処理し終えるまで、前記ステップＳ１３及びＳ１４をループする（ステップＳ１５のＮＯ）。ＣＰＵ１０は、現在使用中の入力グループ１１０の全てに対して処理し終えた場合（ステップＳ１５のＹＥＳ）、当該処理を終了する。前記ステップＳ１３〜Ｓ１５により、複数の入力グループ１１０に適用するグループプリセットのジャンルを一括して切り替えて、該複数の入力グループ１１０に関する全パラメータの値（各入力ｃｈの入力ｃｈ用パラメータ、各入力グループ１１０の入力グループ用パラメータ）を、そのジャンルに該当するグループプリセットに応じて一括して変更できる。
【００９０】
この実施形態によれば、ジャンルを切り替えるだけで、ミキサ１の複数の入力グループ１１０それぞれに設定される各種パラメータの値（プリセットの値）を、ジャンル変更前後で現在使用中の入力ｃｈ数や楽器種類を維持しつつ、現在適用中のジャンルとは別のジャンルにふさわしいプリセットの値に一括変更できる。したがって、ミキサ１全体の出音を、例えばロック系の音、ジャズ系の音などとジャンルに合わせて簡単に変更できる。このジャンル切り替えによるグループプリセットの一括変更は、例えば演奏曲のジャンル毎にミキサ１の出音を変更する場合に有効である。
【００９１】
以上の通り、この発明によれば、例えば演奏者単位など複数のオーディオ信号を１グループにまとめたグループモジュールのセットアップ作業を、ミキサの操作に不慣れなユーザなどにとって極めて簡単に行うことができる。楽器種類や用途などに応じて１又は複数の入力ｃｈ１００をまとめたグループプリセット７０を用意したので、グループストリップ１２０と楽器種類（演奏者）や用途などとの対応関係がわかりやすい。また、グループモジュール単位でセットアップを行うので、チャンネルモジュール毎の詳細なパラメータの値をユーザは意識しなくてよい。
【００９２】
なお、前記ステップＳ３では、適用先の入力グループ１１０の決定及び未アサインｃｈの確保を所定のルールに従い自動的に行ったが、適用先の入力グループ１１０の決定及び／又は未アサインｃｈの確保を、ユーザが手動で行ってもよい。
【００９３】
なお、図９に示すグループ表示部８２は、ミキサ１に備わる全ての入力グループ１１０のうち、現在グループプリセットを適用中（割り当て中）の入力グループ１１０のみを表示するように構成されていたが、別の構成例として、ミキサ１に備わる全ての入力グループ１１０を表示し、グループプリセットが未割り当ての入力グループに関しては、名前８２０と入力ｃｈ数８２１の各欄を空欄にする構成を採用してもよい。
【００９４】
なお、前記グループプリセット選択部８１でグループプリセットが選択されたときに、前記グループ表示部８２において、特定した変更先のグループプリセット７０を適用可能な入力グループ１１０のみを通常の表示状態で表示して、その他の入力グループ１１０をグレーアウト表示することを説明したが、ここでグレーアウト表示された入力グループ１１０は適用先に選択できないようにしてもよい。つまり、グループ表示部８２は、選択されたグループプリセット７０が適用不可能な入力グループ１１０を選択不可能な表示状態で表示するように構成されてもよい。
【００９５】
なお、ユーザが、既存のグループプリセット７０を編集（変更）して、編集結果を新たなグループプリセット７０として保存したり、或いは、新たなグループプリセット７０を自ら作成して保存したりできてもよい。
【００９６】
なお、上述の実施例では、入力ｃｈ１００のパラメータを操作パネルで制御しないものとして説明したが、個々の入力ｃｈ１００をグループストリップ１２０に割り当てて、入力ｃｈ単位でパラメータの値を調整してもよい。
【００９７】
また、上記の実施例では、入力グループ１１０とグループストリップ１２０が１対１で対応している構成を説明したが、操作パネル上に設けたグループストリップ１２０の数よりも、多数の入力グループ１１０（モジュール）を具備し、レイヤ切り替えなどによりグループストリップ１２０の操作対象となる入力グループ１１０を切り替えるように構成してもよい。
【００９８】
この発明は、デジタルミキシング装置の発明として構成及び実施することに限らず、プログラムの発明として構成及び実施することもできる。
【符号の説明】
【００９９】
１  デジタルミキシング装置、１００  入力チャンネル、１０５及び３７  グループパッチ、１１０  入力グループ、１２０  グループストリップ（グループ操作部）、２４  グループバス、６０  挿入エフェクタ、６１  スイッチ、７０  グループプリセット、７１  入力ｃｈ用パラメータセット、７２  入力グループ用パラメータセット、７３  アサイン情報（グループ化情報）、７４  エフェクト情報、７５  グループ属性情報
【図１】
2014187637.tif 000003
【図２】
2014187637.tif 000004
【図３】
2014187637.tif 000005
【図４】
2014187637.tif 000006
【図５】
2014187637.tif 000007
【図６】
2014187637.tif 000008
【図７】
2014187637.tif 000009
【図８】
2014187637.tif 000010
【図９】
2014187637.tif 000011
【図１０】
2014187637.tif 000012
【図１１】
2014187637.tif 000013
【図１２】
2014187637.tif 000014
【図１３】
2014187637.tif 000015
【図１４】
2014187637.tif 000016